(57)【特許請求の範囲】
【請求項１】
平面視矩形状のベッド本体と、
前記ベッド本体と別体で形成され、複数の連結穴を有した一対の側板の間に複数の連結穴を有した背板が設けられるとともに、前記背板と反対の前側に複数の踏板を階段状に設けた階段部と、
前記ベッド本体の長辺の中点同士を通る長辺分割線を線対称に前記ベッド本体のそれぞれの短辺部、及び前記ベッド本体の短辺の中点同士を通る短辺分割線を線対称に前記ベッド本体のそれぞれの長辺部に形成され、前記背板を固定する取付穴、前記側板を固定する取付穴及び前記背板と前記側板の双方の固定に共用される取付穴からなる階段取付穴部と、
前記連結穴と前記取付穴とを締結する締結具と、
を具備することを特徴とするベッドの構造。
【請求項２】
前記ベッド本体には、前記長辺分割線を線対称にそれぞれの短辺部、及び前記短辺分割線を線対称にそれぞれの長辺部に、合計４つの出入口部が形成され、
前記出入口部には、塞ぎ柵が着脱自在に設けられることを特徴とする請求項１記載のベッドの構造。
【請求項３】
前記連結穴または前記取付穴のいずれか一方が上下に長い長穴であることを特徴とする請求項１または２に記載のベッドの構造。
【請求項４】
前記階段部には、前記踏板の下部に収納部が設けられることを特徴とする請求項１〜３のいずれか一つに記載のベッドの構造。
【発明の詳細な説明】
【技術分野】
【０００１】
本発明は、ベッドの構造に関する。
【背景技術】
【０００２】
ベッドの構造としては、ベッド本体が上下二段に構成される二段ベッドがある。従来、この二段ベッドの構造として、上段への昇り降りには、簡易な構成として梯子を用いるものがあるが、階段状の雑貨収納部をベッド本体の長手辺に固定保持した二段ベッド（特許文献１）や、基体の側方に板体を任意の高さに支持し、階段、テーブル、椅子などに利用できるようにした二段ベッド（特許文献２）、側壁が相互に反対位置となる上下のベッド空間を有し、室内を間仕切る状態で設置される二段ベッド（特許文献３）などが知られている。
【先行技術文献】
【特許文献】
【０００３】
【特許文献１】実開昭５２−１３２７０５号公報
【特許文献２】実開昭５３−８７７１１号公報
【特許文献３】実開平７−３４７２８号公報
【発明の概要】
【発明が解決しようとする課題】
【０００４】
しかしながら、従来の二段ベッドの構造は、安価に提供するために、階段設置位置が予め決められており、仮に変更が可能な場合であっても設置位置のバリエーションが少なく、階段をベッド本体の全ての辺部にかつ異なる向きで設置する対応はできなかった。このため、例えば、ドアを開閉できない、窓が使用できない、部屋への出入りが困難になる、その他、家具との配置関係に制約がでるなど、所望のレイアウトとする際に様々な不具合が生じた。
【０００５】
本発明は上記状況に鑑みてなされたもので、その目的は、階段部をベッド本体のどの辺部にも、しかも、異なる向きでも取付けできるベッドの構造を提供することにある。
【課題を解決するための手段】
【０００６】
次に、上記の課題を解決するための手段を、実施の形態に対応する図面を参照して説明する。
本発明の請求項１記載のベッドの構造は、平面視矩形状のベッド本体１３と、
前記ベッド本体１３と別体で形成され、複数の連結穴４９を有した一対の側板５１の間に複数の連結穴４９を有した背板５３が設けられるとともに、前記背板５３と反対の前側に複数の踏板５５を階段状に設けた階段部１５と、
前記ベッド本体１３の長辺の中点同士を通る長辺分割線４１を線対称に前記ベッド本体１３のそれぞれの短辺部、及び前記ベッド本体１３の短辺の中点同士を通る短辺分割線４３を線対称に前記ベッド本体１３のそれぞれの長辺部に形成され、前記背板５３を固定する取付穴９９、前記側板５１を固定する取付穴１０１及び前記背板５３と前記側板５１の双方の固定に共用される取付穴１０３からなる階段取付穴部１７と、
前記連結穴４９と前記取付穴９９，１０１，１０３とを締結する締結具と、
を具備することを特徴とする。
【０００７】
このベッドの構造では、ベッド本体１３と、階段部１５とが別体に作られている。階段部１５は、ベッド本体１３に取り付けるための複数の連結穴４９を、背板５３と側板５１とに有している。一方、ベッド本体１３は、階段部１５の連結穴４９と締結が可能な階段取付穴部１７を有している。この階段取付穴部１７は、ベッド本体１３の長辺の中点同士を通る長辺分割線４１を線対称にそれぞれの短辺部と、ベッド本体１３の短辺の中点同士を通る短辺分割線４３を線対称にそれぞれの長辺部とに形成されている。つまり、階段取付穴部１７は、長辺分割線４１を線対称に短辺部に２箇所と、短辺分割線４３を線対称に長辺部に２箇所の合計４箇所が設けられている。
それぞれの階段取付穴部１７は、背板５３を固定する取付穴（背板用取付穴９９）、側板５１を固定する取付穴（側板用取付穴１０１）及び背板５３と側板５１の双方の固定に共用される取付穴（共通取付穴１０３）からなる。
これにより、一箇所の階段取付穴部１７には、階段部１５が、背板５３を取り付ける縦向きと、側板５１を取り付ける横向きの２通りの向きで取付けが可能となる。階段取付穴部１７は、ベッド本体１３の４辺に設けられるので、これで８通りの階段部１５の取付パターンを実現することができる。
これに加え、ベッド本体１３は、簡易なヘッドボード１０５などの後付けによりヘッド側を決定する仕様とされる。このため、ヘッド側とフット側を分ける必要がなくなる。この場合、階段取付穴部１７が、上記した線対称で各短辺部及び各長辺部に設けられているので、ベッド本体１３を１８０°回転配置つまり正面の向きを変えることにより、各短辺部及び各長辺部の異なる端側に向けられることになる。これにより、このベッドの構造によれば、８通りの２倍の１６通りの階段部１５の取付パターンを実現することができる。その結果、階段部１５をベッド本体１３のどの辺部にも、しかも、異なる向きでも取付けできるようになる。
【０００８】
本発明の請求項２記載のベッドの構造は、請求項１記載のベッドの構造であって、前記ベッド本体１３には、前記長辺分割線４１を線対称にそれぞれの短辺部、及び前記短辺分割線４３を線対称にそれぞれの長辺部に、合計４つの出入口部４５が形成され、
前記出入口部４５には、塞ぎ柵３９が着脱自在に設けられることを特徴とする。
【０００９】
このベッドの構造では、ベッド本体１３の一対の長辺部及び一対の短辺部に、柵板３７が取り付けられる。ベッド本体１３は、一対の長辺部がサイドフレーム２３となり、一対の短辺部が短尺フレーム２７となる。これら一対のサイドフレーム２３と、一対の短尺フレーム２７とには、それぞれ柵板３７を除去した出入口部４５が設けられる。つまり、４つの出入口部４５が設けられる。ベッド本体１３は、柵板３７に出入口部４５が設けられることにより、階段部１５からベッド本体１３に対しての出入りが容易となっている。出入口部４５は、階段部１５が取り付けられた箇所のみ塞ぎ柵３９が配置されない。階段部１５が取り付けられない他の出入口部４５は、塞ぎ柵３９によって塞がれて柵板３７に延長部となって連続する。
【００１０】
本発明の請求項３記載のベッドの構造は、請求項１または２に記載のベッドの構造であって、前記連結穴４９または前記取付穴（９９，１０１，１０３）のいずれか一方が上下に長い長穴であることを特徴とする。
【００１１】
このベッドの構造では、階段部１５が、１６通りの取付パターンでベッド本体１３への取付けが可能となる。ベッド本体１３に、階段部１５を取り付ける際、ベッド本体１３の設置される床部と、階段部１５の設置される床部とが、連続した平滑な面であれば良いが不陸となっていることがある。また、ベッド本体１３や階段部１５にはわずかな加工誤差や組立誤差が生じる場合がある。この場合、連結穴４９と取付穴（９９，１０１，１０３）とは複数で構成されることから、真円同士であると、各締結具の貫通が困難となる。このベッドの構造では、連結穴４９または取付穴（９９，１０１，１０３）のいずれか一方が上下に長い長穴である。これにより、ベッド本体１３と階段部１５との双方の高低差等により生じている連結穴４９と取付穴（９９，１０１，１０３）との位置ずれが吸収可能となる。つまり、長穴の範囲であれば、連結穴４９と取付穴（９９，１０１，１０３）とが締結具により締結可能となる。
【００１２】
本発明の請求項４記載のベッドの構造は、請求項１〜３のいずれか一つに記載のベッドの構造であって、前記階段部１５には、前記踏板５５の下部に収納部９５が設けられることを特徴とする。
【００１３】
このベッドの構造では、一対の平行な側板５１の背面が背板５３により塞がれ、背板５３の前側に階段状の踏板５５が設けられることにより、ベッド本体１３の昇降を可能とする階段部１５が形成される。階段部１５には、一対の側板５１、背板５３及び踏板５５に囲まれた空間が形成される。このベッドの構造では、この踏板５５の下側の空間が、収納部９５となる。収納部９５としては、例えば各踏板５５の下方に、一対のスライドレールにより前後方向にスライド自在に設けた引出し９７を取り付けることができる。これにより、踏板５５の下部をデッドスペースとせずに複数の収納スペースを異なる広さで設けることができ、適材適所の整理収納を可能にすることができる。
【発明の効果】
【００１４】
本発明に係る請求項１記載のベッドの構造によれば、階段部をベッド本体のどの辺部にも、しかも、異なる向きでも取付けできる。これにより、室内に設置されるこのベッドは、ドアの位置や窓の位置、他の家具との配置関係に自由度が得られ、ドアの開閉の妨げにならず、室内レイアウトのバリエーションが増えることとなる。
【００１５】
本発明に係る請求項２記載のベッドの構造によれば、ベッド本体のどの辺部にも柵板を除去した出入口部を設けることができ、しかも、不要な出入口部を塞ぎ柵により塞ぐことができ、ベッドとしての安全性を確保できる。
【００１６】
本発明に係る請求項３記載のベッドの構造によれば、床面の不陸によりベッド本体と階段部とに段差が生じている場合や、ベッド本体や階段部に加工誤差や組立誤差が生じている場合であっても、ベッド本体と階段部とを接地させた状態で双方を確実に連結固定できる。
【００１７】
本発明に係る請求項４記載のベッドの構造によれば、踏板が階段状に配置される階段部の下部スペースを、見栄えの良い収納スペースとして有効利用することができる。
【図面の簡単な説明】
【００１８】
【図１】本発明の実施の形態に係るベッドの構造を備えた二段ベッドの斜視図である。
【図２】塞ぎ柵を外した状態のベッド本体の斜視図である。
【図３】階段部が長辺部に取り付けられる場合の分解斜視図である。
【図４】図１に示した二段ベッドの分解斜視図である。
【図５】階段取付穴部の取付穴と階段部の連結穴との対応関係を表した説明図である。
【図６】（ａ）は階段部がフット側の短尺フレームに横付けされた平面図、（ｂ）は階段部がヘッド側の短尺フレームに横付けされた平面図、（ｃ）は階段部がフット側の短尺フレームに縦付けされた平面図、（ｄ）は階段部がヘッド側の短尺フレームに縦付けされた平面図である。
【図７】（ａ）は階段部が一方のサイドフレームに横付けされた平面図、（ｂ）は階段部が他方のサイドフレームに横付けされた平面図、（ｃ）は階段部が一方のサイドフレームに縦付けされた平面図、（ｄ）は階段部が他方のサイドフレームに縦付けされた平面図である。
【図８】ベッド本体の下部を多用途スペースとした斜視図である。
【図９】ベッド本体の下部を多用途スペースとした場合のベッド本体と階段部の連結部分を示す斜視図を（ａ）に、同連結部分の分解斜視図を（ｂ）に示した図である。
【発明を実施するための形態】
【００１９】
以下、本発明に係る実施の形態を図面を参照して説明する。
図１は本発明の実施の形態に係るベッドの構造を備えた二段ベッド１１の斜視図である。
本実施の形態に係るベッドの構造は、ベッド本体１３と、階段部１５と、階段取付穴部１７と、締結具とを主要な構成として有する。なお、本実施形態ではベッドとして二段ベッドの構造として説明する。
【００２０】
ベッド本体１３は、本実施形態では、平面視矩形状の下段本体１９及び上段本体２１を多段状に重ね、上下二段とされた二段ベッドとして組み立てられる。
【００２１】
下段本体１９は、長辺部が一対の平行なサイドフレーム２３からなる。一対のサイドフレーム２３の両端は、柱２５を介して一対の短尺フレーム２７に連結される。これにより、下段本体１９は、平面視矩形状となる。一対のサイドフレーム２３の対向面には、補強材２９が長手方向に沿って固定される。また、一対のサイドフレーム２３は、長手方向の略中央部が、連結桟材３１により連結される。一対の短尺フレーム２７の対向面には、連結桟材３１と同一平面上で平行となる載置用横木材３３が固定される。連結桟材３１及び載置用横木材３３には、図示しない底板等が載置される。
【００２２】
下段本体１９の４隅には、サイドフレーム２３と、短尺フレーム２７とを連結する柱２５が設けられる。それぞれの短尺フレーム２７の上下には、横板３５が両側の柱２５に渡って固定される。
【００２３】
上段本体２１は、長辺部が一対の平行なサイドフレーム２３からなる。一対のサイドフレーム２３の両端は、柱２５を介して一対の短尺フレーム２７に連結される。これにより、上段本体２１は、平面視矩形状となる。一対のサイドフレーム２３の対向面には、補強材２９が長手方向に沿って固定される。また、一対のサイドフレーム２３は、長手方向の略中央部が、連結桟材３１により連結される。一対の短尺フレーム２７の対向面には、連結桟材３１と同一平面上で平行となる載置用横木材３３が固定される。連結桟材３１及び載置用横木材３３には、図示しない底板等が載置される。
【００２４】
上段本体２１の４隅には、サイドフレーム２３と、短尺フレーム２７とを連結する柱２５が設けられる。それぞれの短尺フレーム２７の下には、横板３５が両側の柱２５に渡って固定される。上段本体２１は、一つのサイドフレーム２３と、一対の短尺フレーム２７の上方に柵板３７が取り付けられる。つまり、柵板３７は、上段本体２１の４辺に設けられる。
【００２５】
図２は塞ぎ柵３９を外した状態のベッド本体１３の斜視図である。
上段本体２１の柵板３７には、ベッド本体１３の長辺の中点同士を通る長辺分割線４１を線対称にそれぞれの短辺部、及びベッド本体１３の短辺の中点同士を通る短辺分割線４３を線対称にそれぞれの長辺部に、合計４つの出入口部４５が形成されている。出入口部４５は、柵板３７を所定長で除去することにより形成されている。この出入口部４５には、塞ぎ柵３９が着脱自在に設けられる。
【００２６】
塞ぎ柵３９は、ビス４７やボルトを用い４箇所で短尺フレーム２７、サイドフレーム２３に固定される。このため、短尺フレーム２７とサイドフレーム２３には、埋込ナットが設けられている。
【００２７】
下段本体１９と上段本体２１とは、下段本体１９の柱２５の上端と、上段本体２１の柱２５の下端が連結金具（図示略）により固定されて、上下に連結固定され、これにより上下二段のベッドを構成する。
【００２８】
図３は階段部１５が長辺部に取り付けられる場合の分解斜視図である。
階段部１５は、ベッド本体１３と別体で形成される。階段部１５は、複数の連結穴４９を有した一対の側板５１の間に複数の連結穴４９を有した背板５３が設けられる。連結穴４９は、後述するそれぞれの取付穴（１７）に対応する位置に穿設される。階段部１５は、背板５３と反対の前側に、複数の踏板５５を階段状に設けて組み立てられる。
【００２９】
背板５３は、上段上背板５７、上段中背板５９、上段下背板６１、下段上背板６３、下段中背板６５、下段下背板６７からなる。
【００３０】
それぞれの側板５１は、上段前側板６９、上段後側板７１、上段上桟７３、上段中桟７５、上段下桟７７、下段前側板７９、下段後側板８１、下段上桟８３、下段中桟８５、下段下桟８７、下段上目隠し板８９、下段中目隠し板９１、下段下目隠し板９３からなる。
【００３１】
本実施の形態において、階段部１５は、上記した各板材５７〜９３からなる下段部と上段部が連結されて一体となる。
【００３２】
階段部１５には、踏板５５の下部に収納部９５が設けられる。収納部９５は、側板５１の対向面に、スライドレールを固定し、このスライドレールに、スライド自在な３段の引出し９７を設けることで構成される。引出し９７は、下段に向かって奥行き寸法が大きく形成することとしてもよい。階段部１５に収納部９５を設けることにより、無駄な空間がなくなる。また、階段部１５は、ベッド本体１３とは分離可能であるため、独立した収納家具として使用することも可能となる。
【００３３】
図４は図１に示した二段ベッド１１の分解斜視図である。
階段取付穴部１７は、ベッド本体１３のそれぞれの短辺部と、ベッド本体１３のそれぞれの長辺部との４箇所に形成される。それぞれの短辺部に形成される階段取付穴部１７は、ベッド本体１３の長辺の中点同士を通る長辺分割線４１を線対称に形成される。それぞれの長辺部に形成される階段取付穴部１７は、ベッド本体１３の短辺の中点同士を通る短辺分割線４３を線対称に形成される。
【００３４】
図５は階段取付穴部１７の取付穴と階段部１５の連結穴４９との対応関係を表した説明図である。
短辺部と長辺部に形成される階段取付穴部１７は、同一の取付穴が配置される。つまり、４箇所の階段取付穴部１７は、取付穴が同一の配列パターンとなっている。階段取付穴部１７を構成する取付穴は、背板５３を固定する取付穴（背板用取付穴９９）と、側板５１を固定する取付穴（側板用取付穴１０１）と、背板５３と側板５１の双方の固定に共用される取付穴（共通取付穴１０３）からなる。これら背板用取付穴９９、側板用取付穴１０１、共通取付穴１０３は、それぞれが上下で組となる２つずつ形成される。従って、階段取付穴部１７には、上段本体２１と下段本体１９とに３個１組ずつで合計６つの取付穴が形成されている。なお、６つの取付穴のうち、下側の側板用取付穴１０１のみが他の５つから階段下段側の外れた位置に離間して配置される（図２）。
【００３５】
なお、使用してない連結穴４９や取付穴については、そのままでも良いし、閉塞部材、例えばキャップやシールなどで塞いでも良い。
【００３６】
締結具は、連結穴４９と取付穴とを締結する。締結具は、例えば連結穴４９に挿通されるボルトと、取付穴に挿入されるナット部材、所謂飾りナットなどの筒体に雌ねじを有し頭部を備えたナット部材からなる。ボルトおよび飾りナットは、頭部が表面に大きく突出しないものが好ましい。このボルトや飾りナットとしては、例えば平頭に六角穴付きのボルトおよび飾りナットを用いることができる。階段部１５は、連結穴４９に通したボルトを取付穴に挿入した飾りナットに螺着してベッド本体１３に固定される。階段部１５は、上下に２か所ずつ、合計４箇所のボルト、飾りナットで固定される。
【００３７】
なお、締結具は、上記と逆に、連結穴４９に飾りナットを埋入し、取付穴からボルトを通してベッド本体１３に階段部１５を固定するものであってもよい。また、連結穴４９と取付穴を貫通してパイプ状のナットを挿入し、双方から通した一対のボルトにて螺合してベッド本体１３に階段部１５を固定してもよい。
【００３８】
連結穴４９または取付穴のいずれか一方は、上下に長い長穴である。長穴の長手方向の長さは、階段部１５とベッド本体１３との載置される不陸となった床部の高低差や、ベッド本体１３や階段部１５に生じるわずかな加工誤差や組立誤差を吸収できる程度の距離とする。連結穴４９または取付穴の一方を長穴に形成したことで、ベッド本体１３や階段部１５の組立誤差、組付誤差、加工誤差、床面の状態などでの、ベッド本体１３側と階段部１５側との穴ズレを吸収できる。
【００３９】
次に、上記した構成の作用を説明する。
本実施の形態に係るベッドの構造では、ベッド本体１３と、階段部１５とが別体に作られている。階段部１５は、ベッド本体１３に取り付けるための複数の連結穴４９を、背板５３と側板５１とに有している。一方、ベッド本体１３は、階段部１５の連結穴４９と締結が可能な階段取付穴部１７を有している。この階段取付穴部１７は、ベッド本体１３の長辺の中点同士を通る長辺分割線４１を線対称にそれぞれの短辺部と、ベッド本体１３の短辺の中点同士を通る短辺分割線４３を線対称にそれぞれの長辺部とに形成されている。つまり、階段取付穴部１７は、長辺分割線４１を線対称に短辺部に２箇所と、短辺分割線４３を線対称に長辺部に２箇所の合計４箇所が設けられている。
【００４０】
それぞれの階段取付穴部１７は、背板５３を固定する取付穴（背板用取付穴９９）、側板５１を固定する取付穴（側板用取付穴１０１）及び背板５３と側板５１の双方の固定に共用される取付穴（共通取付穴１０３）からなる。階段取付穴部１７は、それぞれの取付穴が上段本体２１と下段本体１９とに一組必要となるので、少なくとも合計６つの取付穴を有する。
【００４１】
図６（ａ）は階段部１５がフット側の短尺フレーム２７に横付けされた平面図、（ｂ）は階段部１５がヘッド側の短尺フレーム２７に横付けされた平面図、（ｃ）は階段部１５がフット側の短尺フレーム２７に縦付けされた平面図、（ｄ）は階段部１５がヘッド側の短尺フレーム２７に縦付けされた平面図である。図７（ａ）は階段部１５が一方のサイドフレーム２３に横付けされた平面図、（ｂ）は階段部１５が他方のサイドフレーム２３に横付けされた平面図、（ｃ）は階段部１５が一方のサイドフレーム２３に縦付けされた平面図、（ｄ）は階段部１５が他方のサイドフレーム２３に縦付けされた平面図である。
【００４２】
これにより、一箇所の階段取付穴部１７には、階段部１５が、図６（ａ）、（ｂ）、図７（ａ）、（ｂ）に示す側板５１を取り付ける横向き、すなわちベッドに沿うように設けられる向きと、図６（ｃ）、（ｄ）、図７（ｃ）、（ｄ）に示す背板５３を取り付ける縦向き、すなわちベッドに対して直交するような向きとの２通りの向きで取付けが可能となる。階段取付穴部１７は、ベッド本体１３の４辺に設けられるので、これで８通りの階段部１５の取付パターンを実現することができる。
【００４３】
これに加え、ベッド本体１３は、簡易なヘッドボード１０５（図１）などの後付けによりヘッド側を決定する仕様とされる。このため、ヘッド側とフット側を分ける必要がなくなる。この場合、階段取付穴部１７は、上記した線対称で各短辺部及び各長辺部に設けられているので、ベッド本体１３を鉛直線回りに１８０°回転配置、つまり、ベッド本体１３の正面をどちらとするかで、各短辺部及び各長辺部の異なる端側に向けられることになる。これにより、ベッドの構造では、図示した８通りをさらに１８０°回転配置しての２倍の計１６通りの階段部１５の取付パターンを実現することができる。その結果、階段部１５をベッド本体１３のどの辺部にも、しかも、異なる向きでも取付けできるようになる。
【００４４】
また、このベッドの構造では、ベッド本体１３の上段本体２１の一対の長辺部及び一対の短辺部に、柵板３７が取り付けられる。上段本体２１は、一対の長辺部がサイドフレーム２３となり、一対の短辺部が短尺フレーム２７となる。これら一対のサイドフレーム２３と、短尺フレーム２７とには、それぞれ柵板３７を除去した出入口部４５が設けられる。つまり、４つの出入口部４５が設けられる。上段本体２１は、柵板３７に出入口部４５が設けられることにより、階段部１５から上段本体２１に対しての出入りが容易となっている。出入口部４５は、階段部１５が取り付けられた箇所のみ塞ぎ柵３９が無いこととなる。階段部１５が取り付けられない他の出入口部４５は、塞ぎ柵３９によって塞がれて柵板３７の延長部となる。その結果、ベッド本体１３のどの辺部にも上段本体２１の柵板３７を除去した出入口部４５を設けることができ、しかも、不要な出入口部４５を塞ぎ柵３９により塞ぐことができる。なお、この塞ぎ柵３９は、階段部１５が取り付けられない箇所である３箇所の出入口部４５に取り付けられればよいことから３個が必須の構成数であるが、全ての出入口部４５を塞ぐために４個で構成しても良く、その場合には取り外された塞ぎ柵３９が別途保管されることになる。
【００４５】
また、このベッドの構造では、階段部１５が、上述の通り１６通りの取付パターンでベッド本体１３への取付けが可能となる。なお、階段部１５は、ベッド本体１３に取り付けられずに、単独で使用されても良い。ベッド本体１３に、階段部１５を取り付ける場合、ベッド本体１３の設置されている床部と、階段部１５の設置されている床部とが、不陸となっている場合や、ベッド本体１３や階段部１５にわずかな加工誤差や組立誤差が生じている場合がある。この場合、連結穴４９と取付穴とは、真円同士であると、締結具の貫通が困難となる。このベッドの構造では、連結穴４９または取付穴のいずれか一方が上下に長い長穴である。これにより、ベッド本体１３と階段部１５との双方の高低差により生じている連結穴４９と取付穴との位置ずれが吸収可能となる。つまり、長穴の範囲であれば、連結穴４９と取付穴とが締結具により締結可能となる。その結果、床面の不陸や種々の誤差等によりベッド本体１３と階段部１５とに段差が生じている場合であっても、ベッド本体１３と階段部１５とを接地させた状態で双方を確実に連結固定でき、ベッド本体１３と階段部１５とをガタつくことなく設置できる。
【００４６】
さらに、このベッドの構造では、一対の平行な側板５１の背面が背板５３により塞がれ、背板５３の前側に階段状の踏板５５が設けられることにより、上段本体２１の昇降を可能とする階段部１５が形成される。階段部１５には、一対の側板５１、背板５３及び踏板５５に囲まれた空間が形成される。このベッドの構造では、この踏板５５の下側の空間が、収納部９５となる。収納部９５としては、例えば各踏板５５の下方に、一対のスライドレールにより前後方向にスライド自在に設けた引出し９７を取り付けることができる。これにより、複数の収納スペースを異なる広さで設けることができ、適材適所の整理収納を可能にすることができる。その結果、踏板５５が階段状に配置される階段部１５の下部スペースを、見栄えの良い収納スペースとして有効利用することができる。
【００４７】
従って、本実施の形態に係るベッドの構造によれば、階段部１５をベッド本体１３のどの辺部にも、しかも、異なる向きでも取付けでき、室内レイアウトの自由度を増すことが可能となり、さらには長穴形状の連結穴によって互いを確り連結固定でき、ガタつくことなく設置可能となる。
【００４８】
本発明は上記の実施の形態に限定されるものではなく、実施の形態の各構成を相互に組み合わせることや、明細書の記載、並びに周知の技術に基づいて、当業者が変更、応用することも本発明の予定するところであり、保護を求める範囲に含まれる。
【００４９】
例えば、上記の実施の形態では、ベッドが二段ベッドである場合を例に説明したが、ベッドは、２段以上の段数、例えば三段ベッドであってもよい。
【００５０】
また、図８に示すように、上述した２段ベッドの上段本体２１のみをベッドとして、下段本体１９の位置は一方のサイドフレーム２３，連結桟材３１等が無い状態、すなわちベッドとして構成せず、ベッド本体１３としての下部、この図８の例では上段本体２１の下部に空間を形成し多用途スペース１０９として、上部本体２１への昇降に階段部１５を組み付ける構成としてもよい。
【００５１】
多用途スペース１０９は、設置時に正面とする位置のサイドフレームが無く、左右側方と奥方の三方を囲み四隅の柱２５で構成され、床面上に本棚やラックなどを組み込んで収納部（図示せず）として用いても良いし、デスク（図示せず）を組み込む構成としても良く、あるいは単なる空間部分としたフリースペースとしても良い。このようなベッドの構造では、所謂ロフトのような構成とすることができ、上述した階段部１５との組み合わせにおいても、この階段部１５のベッド本体１３に対する取付け向きを自由にできるものであり、すなわち室内レイアウトの自由度を向上させる。
【００５２】
なお、この多用途スペース１０９を構成する際には、下段本体１９のサイドフレーム２３の無い状態であることから、階段部１５の固定のための取付穴１７が上段本体２１のサイドフレーム２３のみとなる。そこで、階段部１５の下部の固定のために図９（ａ）に示す連結部分を構成させる。この連結部分は、Ｌ字状に形成される連結体１０７を用い、図９（ｂ）に示すように、柱２５に穿設される連結穴１０８と、階段部１５の背板５３に穿設される連結穴４９とを締結具にて締結固定する。これにより、階段部１５の下部においてもベッド本体１３に連結固定され、上部の各連結穴４９による階段取付穴部１７との連結固定とともに確り固定され、階段部１５を安定させることが可能となる。なお、この連結部分においても、いずれかの穴を長穴に形成することで、上述と同様の効果である互いのガタつきをなくして双方を確実に連結固定することが可能となる。
【００５３】
また、上記の実施の形態において、階段部１５は、下段部と上段部が連結されて一体となる構成を説明したが、一体物の単品として構成されてもよい。
【符号の説明】
【００５４】
１１…ベッド（二段ベッド）
１３…ベッド本体
１５…階段部
１７…階段取付穴部
３９…塞ぎ柵
４１…長辺分割線
４３…短辺分割線
４５…出入口部
４９…連結穴
５１…側板
５３…背板
５５…踏板
９５…収納部
９９…背板用取付穴（取付穴）
１０１…側板用取付穴（取付穴）
１０３…共通取付穴（取付穴）
【要約】
【課題】階段部をベッド本体のどの辺部にも、しかも、異なる向きでも取付けできるベッドの構造を提供する。
【解決手段】ベッドの構造において、平面視矩形状のベッド本体１３と、ベッド本体１３と別体で形成され、複数の連結穴４９を有した一対の側板５１の間に複数の連結穴４９を有した背板５３が設けられるとともに、背板５３と反対の前側に複数の踏板５５を階段状に設けた階段部１５と、ベッド本体１３の長辺の中点同士を通る長辺分割線を線対称にベッド本体１３のそれぞれの短辺部、及びベッド本体１３の短辺の中点同士を通る短辺分割線を線対称にベッド本体１３のそれぞれの長辺部に形成され、背板５３を固定する取付穴、側板５１を固定する取付穴及び背板５３と側板５１の双方の固定に共用される取付穴からなる階段取付穴部１７と、連結穴４９と取付穴とを締結する締結具と、を設けた。
【選択図】  図１【図１】
0006754868.tif 000002
【図２】
0006754868.tif 000003
【図３】
0006754868.tif 000004
【図４】
0006754868.tif 000005
【図５】
0006754868.tif 000006
【図６】
0006754868.tif 000007
【図７】
0006754868.tif 000008
【図８】
0006754868.tif 000009
【図９】
0006754868.tif 000010